(57)【要約】【課題】コストダウンを図りつつ、キャリッジを適切にホームポジションに配置することができる画像読み取り装置を提供する。【解決手段】画像読み取り装置は、キャリッジの位置を確認する動作時では、外乱光有無検知部が外乱光があると検知しているときは（Ｓ１３において、ＮＯ）、露光ランプを消灯してキャリッジを移動させ（Ｓ１７）、外乱光有無検知部が外乱光がないと検知しているときは（Ｓ１３において、ＹＥＳ）、露光ランプを点灯させてキャリッジを移動させて（Ｓ１４）、キャリッジにより位置決めマークの位置を検出する（Ｓ１５）よう制御する制御手段を備える。【選択図】図９
2015192151.tif 000002
【特許請求の範囲】
【請求項１】
画像を読み取る原稿を載置するプラテンと、
副走査方向に移動可能であり、前記原稿へ光を照射する露光ランプを含み、前記原稿からの反射光を基に原稿の画像をイメージセンサーに読み取らせるキャリッジと、
前記プラテンと副走査方向に隣り合う位置に設けられ、前記露光ランプから外部への光を遮光する遮光部と、
前記遮光部が設けられた領域、または前記遮光部が設けられた領域と主走査方向に隣り合う領域であって、前記キャリッジによって読み取り可能な位置に設けられ、前記キャリッジのホームポジションと関連付けられた位置を規定する位置決めマークと、
前記キャリッジの位置において、前記キャリッジの上側から入射される外乱光の有無を検知する外乱光有無検知部と、
前記キャリッジの位置を確認する動作時では、前記外乱光有無検知部が外乱光があると検知しているときは、前記露光ランプを消灯して前記キャリッジを移動させ、前記外乱光有無検知部が外乱光がないと検知しているときは、前記露光ランプを点灯させて前記キャリッジを移動させて、前記キャリッジにより前記位置決めマークの位置を検出するよう制御する制御手段とを備える、画像読み取り装置。
【請求項２】
前記外乱光有無検知部は、前記イメージセンサーで外乱光を検知する、請求項１に記載の画像読み取り装置。
【請求項３】
前記外乱光有無検知部は、前記キャリッジに付設されている、請求項１に記載の画像読み取り装置。
【請求項４】
前記遮光部のうち、前記キャリッジが位置する領域と対向する面には、画像を読み取る際の白色の補正の基準となる白基準面が設けられている、請求項１〜３のいずれかに記載の画像読み取り装置。
【請求項５】
前記原稿台の上面側を開閉可能であって、前記原稿台の上に載置された原稿を押さえる原稿押さえと、
前記原稿押さえの開閉を検知する原稿押さえ開閉検知手段とを含み、
前記原稿押さえ開閉検知手段が前記原稿押さえが開いていることを検知しているときに、前記外乱光有無検知部が外乱光を検知する、請求項１〜４のいずれかに記載の画像読み取り装置。
【請求項６】
前記キャリッジの移動方向において、前記位置決めマークが設けられている位置は、前記キャリッジのホームポジションが設けられている位置と同じである、請求項１〜５のいずれかに記載の画像読み取り装置。
【請求項７】
画像を読み取る画像読み取り装置を含む画像処理装置であって、
前記画像読み取り装置は、画像を読み取る原稿を載置するプラテンと、副走査方向に移動可能であり、前記原稿へ光を照射する露光ランプを含み、前記原稿からの反射光を基に原稿の画像をイメージセンサーに読み取らせるキャリッジと、前記プラテンと副走査方向に隣り合う位置に設けられ、前記露光ランプから外部への光を遮光する遮光部と、前記遮光部が設けられた領域、または前記遮光部が設けられた領域と主走査方向に隣り合う領域であって、前記キャリッジによって読み取り可能な位置に設けられ、前記キャリッジのホームポジションと関連付けられた位置を規定する位置決めマークと、前記キャリッジの位置において、前記キャリッジの上側から入射される外乱光の有無を検知する外乱光有無検知部と、前記キャリッジの位置を確認する動作時では、前記外乱光有無検知部が外乱光があると検知しているときは、前記露光ランプを消灯して前記キャリッジを移動させ、前記外乱光有無検知部が外乱光がないと検知しているときは、前記露光ランプを点灯させて前記キャリッジを移動させて、前記キャリッジにより前記位置決めマークの位置を検出するよう制御する制御手段とを備える、画像処理装置。
【発明の詳細な説明】
【技術分野】
【０００１】
この発明は、画像読み取り装置、および画像処理装置に関するものであり、特に、原稿の画像を読み取る画像読み取り装置、およびこのような画像読み取り装置を含む画像処理装置に関するものである。
【背景技術】
【０００２】
デジタル複合機等に代表される画像処理装置には、原稿の画像を読み取る画像読み取り装置が備えられている。画像読み取り装置は、ＡＤＦ（Ａｕｔｏ  Ｄｏｃｕｍｅｎｔ  Ｆｅｅｄｅｒ（自動原稿送り装置））にセットされた複数の原稿の画像や、プラテンに載置された原稿の画像を読み取る。画像処理装置は、画像読み取り装置によって読み取られた画像を基に、画像処理を行ったり、画像形成部において画像を形成する。
【０００３】
画像読み取り装置は、イメージセンサーが設けられたキャリッジと呼ばれる読み取り部によって、原稿の画像を読み取る。キャリッジは、プラテンの下部領域に配置されており、いわゆる副走査方向に移動可能である。キャリッジは、露光ランプを含み、露光ランプから発する光を原稿に照射し、原稿からの反射光を集光し、イメージセンサーによって原稿の画像を読み取る。ＡＤＦにセットされた原稿の画像を読み取る場合、キャリッジは副走査方向の所定の箇所に留められる。ＡＤＦは、キャリッジの位置する箇所に原稿を順次搬送する。キャリッジは、設けられたイメージセンサーによって搬送された複数の原稿の画像を読み取る。プラテンに載置された原稿の画像を読み取る場合、キャリッジは副走査方向に移動しながら、露光ランプの光をプラテンに載置された原稿に照射し、反射光を集光し、イメージセンサーによって原稿の画像を読み取る。すなわち、キャリッジは、原稿のセット方法によって所定の位置で留められた状態で画像を読み取ったり、副走査方向に移動しながら画像を読み取ったりする。
【０００４】
このように、画像を読み取る際に移動したり、所定の位置に留められたりするキャリッジについては、キャリッジの基準位置となるホームポジション（ＨＰ（Ｈｏｍｅ  Ｐｏｓｉｔｉｏｎ）、以下「ＨＰ」と略す場合がある。）が設定されている。例えば、画像読み取り装置において、省エネモードであるスリープモードが解除された時には、画像読み取り装置の初期動作としてキャリッジをＨＰに移動させる。その後、このＨＰをキャリッジの基準位置として、ＡＤＦによって搬送される原稿の画像を読み取る際の読み取り位置にキャリッジを移動したり、プラテンに載置された画像の読み取りを開始する位置にキャリッジを移動したりする。このような構成によれば、例えば、前回の画像読み取りにおいて、キャリッジがどのような位置で停止していたとしても、適切な位置からキャリッジによる読み取りをさせることができ、適切な画像の読み取りを行うことができる。
【０００５】
ここで、このようなＨＰを設定した画像読み取り装置に関する技術が、特開平８−１４９２９９号公報（特許文献１）、および特開２００１−５１１９号公報（特許文献２）に開示されている。特許文献１によると、画像読み取り装置において、原稿の画像を読み取る際に、キャリッジの第一ミラーをホームポジションに位置するようにしている。そして、このホームポジションに位置させたキャリッジに対して、シェーディング補正を行う位置や原稿の画像を読み取る位置にキャリッジを移動させることとしている。第一ミラーをホームポジションに位置させる際には、ＰＩ（Ｐｈｏｔｏ  Ｉｎｔｅｒｒｕｐｔｅｒ）を用いることとしている。具体的には、遮光板をキャリッジに取り付け、キャリッジに連動して移動するような構成とする。そして、遮光板によって遮光された光量をＰＩセンサで検知することにより、キャリッジの位置を検出することとしている。しかし、このような構成は、比較的高価なＰＩセンサを必ず設けなければならず、また、機構が複雑となることも相まって、結果としてコストアップの要因となっていた。
【０００６】
また、特許文献２によると、イニシャライズ動作において確実に第１キャリッジを所定のホームポジションに導くために、イニシャライズ時に位置決めマークを検出し、駆動手段によって駆動することによって保持手段をホームポジションに導く画像読み取り装置を開示している。特許文献２においては、ＰＩセンサを設けず、画像を読み取る際に用いられるイメージセンサーによって位置決めマークを検出することにより、キャリッジの位置を把握することとしている。しかし、このような画像読み取り装置は、露光ランプの光をユーザーが受ける場合もあり、ユーザーが眩しく不快に感じることもあった。
【０００７】
これら特許文献１および特許文献２に開示された技術に対し、特開２０１３−２０７４６９号公報（特許文献３）によると、画像読み取り装置において、キャリッジと、イメージセンサーと、発光部と、基準位置設定部とを備える構成としている。そして、発光部から発光される光を検出して、キャリッジの基準位置を把握することにしている。こうすることにより、キャリッジをホームポジションに移動させる際に、ユーザーが眩しく感じる原稿読み取り用の露光ランプを点灯することなく、イメージセンサーを用いてキャリッジをホームポジションに適切に配置するようにしている。
【先行技術文献】
【特許文献】
【０００８】
【特許文献１】特開平８−１４９２９９号公報
【特許文献２】特開２００１−５１１９号公報
【特許文献３】特開２０１３−２０７４６９号公報
【発明の概要】
【発明が解決しようとする課題】
【０００９】
特許文献３においては、画像読み取り装置において、ホームポジションを検出するために用いる発光部を新たに設ける構成としている。すなわち、発光部から発光された光を検出することによって、キャリッジをホームポジションに配置するようにしている。しかし、発光部を設けることなくキャリッジをホームポジションに配置することができれば、よりコストダウンを図ることができる。
【００１０】
この発明の目的は、コストダウンを図りつつ、キャリッジを適切にホームポジションに配置することができる画像読み取り装置を提供することである。
【００１１】
この発明の他の目的は、適切に画像を処理することができる画像処理装置を提供することである。
【課題を解決するための手段】
【００１２】
この発明に係る画像読み取り装置は、画像を読み取る原稿を載置するプラテンと、副走査方向に移動可能であり、原稿へ光を照射する露光ランプを含み、原稿からの反射光を基に原稿の画像をイメージセンサーに読み取らせるキャリッジと、プラテンと副走査方向に隣り合う位置に設けられ、露光ランプから外部への光を遮光する遮光部と、遮光部が設けられた領域、または遮光部が設けられた領域と主走査方向に隣り合う領域であって、キャリッジによって読み取り可能な位置に設けられ、キャリッジのホームポジションと関連付けられた位置を規定する位置決めマークと、キャリッジの位置において、キャリッジの上側から入射される外乱光の有無を検知する外乱光有無検知部と、キャリッジの位置を確認する動作時では、外乱光有無検知部が外乱光があると検知しているときは、露光ランプを消灯してキャリッジを移動させ、外乱光有無検知部が外乱光がないと検知しているときは、露光ランプを点灯させてキャリッジを移動させて、キャリッジにより位置決めマークの位置を検出するよう制御する制御手段とを備える。
【００１３】
このような画像読み取り装置によると、外乱光有無検知部が外乱光があると検知しているときは、露光ランプを消灯してキャリッジを移動させる。この場合、露光ランプを消灯しているため、ユーザーが露光ランプからの光を眩しく感じることはない。一方、外乱光有無検知部が外乱光がないと検知しているときは、露光ランプを点灯させてキャリッジを移動させる。この場合、遮光部によって露光ランプの光が遮光されるため、ユーザーが露光ランプからの光を眩しく感じることはない。そして、キャリッジにより露光ランプからの光を照射して、遮光部が設けられた領域、または遮光部が設けられた領域と主走査方向に隣り合う領域であって、キャリッジによって読み取り可能な位置に設けられた位置決めマークを検知することができる。位置決めマークは、キャリッジのホームポジションと関連付けられた位置として規定されているため、キャリッジをホームポジションに適切に移動させることができる。この場合、露光ランプを含むキャリッジを利用して位置決めマークの位置を検知しているため、新たに発光部やＰＩセンサを設ける必要はない。したがって、このような画像読み取り装置によると、コストダウンを図りつつ、キャリッジを適切にホームポジションに配置することができる。
【００１４】
この発明の他の局面においては、画像処理装置は、上記した構成の画像読み取り装置を含む。このような画像処理装置は、上記した構成の画像読み取り装置を含むため、適切に画像を処理することができる。
【発明の効果】
【００１５】
このような画像読み取り装置によると、コストダウンを図りつつ、キャリッジを適切にホームポジションに配置することができる。
【００１６】
また、このような画像処理装置によると、適切に画像を処理することができる。
【図面の簡単な説明】
【００１７】
【図１】この発明の一実施形態に係る画像処理装置をデジタル複合機に適用した場合のデジタル複合機の外観を示す概略斜視図であり、原稿押さえを開けた状態を示す。
【図２】この発明の一実施形態に係る画像処理装置をデジタル複合機に適用した場合のデジタル複合機の外観を示す概略斜視図であり、原稿押さえを閉じた状態を示す。
【図３】この発明の一実施形態に係る画像処理装置をデジタル複合機に適用した場合のデジタル複合機の構成を示すブロック図である。
【図４】この発明の一実施形態に係る画像読み取り装置の一部を上方向から見た概略図である。
【図５】画像読み取り装置の一部を示す概略断面図であり、図４中のＶ−Ｖで示す面で切断した断面図である。
【図６】画像読み取り装置の一部を示す概略断面図であり、図４中のＶＩ−ＶＩで示す面で切断した断面図である。
【図７】画像読み取り装置の一部を上方向から見た概略図であり、原稿をプラテンに載置した状態を示す。
【図８】デジタル複合機がスリープモードから復帰した場合の処理の流れを示すフローチャートである。
【図９】原稿をプラテンに載置した状態の画像読み取り装置に併せて、外乱光有無検知部における検知状態、露光ランプの点灯状態、位置決めマークの検知状態をそれぞれ示すグラフを下側に示した図であり、プラテンの副走査方向のいずれの箇所においても、主走査方向の一部が原稿によって覆われていない状態を示す。
【図１０】原稿をプラテンに載置した状態の画像読み取り装置に併せて、外乱光有無検知部における検知状態、露光ランプの点灯状態、位置決めマークの検知状態をそれぞれ示すグラフを下側に示した図であり、副走査方向の一部において原稿によってプラテンの主走査方向の全面を覆っている場合を示す。
【図１１】この発明の他の実施形態に係る画像読み取り装置の一部を上方向から見た概略図である。
【発明を実施するための形態】
【００１８】
以下、この発明の実施の形態を説明する。まず、この発明の一実施形態に係る画像処理装置の構成について説明する。図１および図２は、この発明の一実施形態に係る画像処理装置をデジタル複合機に適用した場合のデジタル複合機の外観を示す概略斜視図である。図１は、後述する原稿押さえを開けた状態を示す。図２は、原稿押さえを閉じた状態を示す。なお、図１および図２に示す状態において、後述する操作部が配置される側がデジタル複合機のフロント側であり、その逆側、すなわち、原稿押さえが装置本体に取り付けられている側がデジタル複合機のリア側となる。図３は、この発明の一実施形態に係る画像処理装置をデジタル複合機に適用した場合のデジタル複合機の構成を示すブロック図である。
【００１９】
図１〜図３を参照して、この発明の一実施形態に係る画像処理装置としてのデジタル複合機１１は、デジタル複合機１１全体の制御を行う制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り装置１４と、トナーを用いて現像を行う現像器２３を含み、読み取った画像やネットワーク２５を介して送信された画像データを基に画像を形成する画像形成部１５と、送信された画像データや入力された画像形成条件等の格納を行う格納手段としてのハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部等を備えるが、これらについては、図示および説明を省略する。また、図３中の矢印は、制御信号や制御、画像に関するデータの流れを示している。なお、画像読み取り装置１４の制御についても、デジタル複合機１１に備えられる制御部１２で行っている。
【００２０】
デジタル複合機１１は、画像読み取り装置１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成することにより、プリンターとして作動する。すなわち、画像形成部１５は、要求された画像を印刷する印刷手段として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り装置１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００２１】
また、デジタル複合機１１を含む画像処理システム２７は、デジタル複合機１１と、複数のコンピューター２６ａ、２６ｂ、２６ｃとを備える。具体的には、画像処理システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２２】
次に、この発明の一実施形態に係るデジタル複合機１１に備えられる画像読み取り装置１４の詳細な構成について説明する。図４は、画像読み取り装置１４の一部を上方向から見た概略図である。図５および図６は、画像読み取り装置１４の一部を示す概略断面図である。図５は、図４中のＶ−Ｖで示す面で切断した断面図であり、画像読み取り装置１４のいわゆる主走査方向の中央を通り、いわゆる副走査方向に延びる面で切断した場合を示す。図６は、図４中のＶＩ−ＶＩで示す面で切断した断面図であり、後述する位置決めマークを含み、主走査方向に延びる面で切断した場合を示す。図７は、図４に示す場合において、原稿をプラテンに載置した状態を示す。なお、図４〜図７においては、理解の容易の観点から、主にＡＤＦ２２および後述するヒンジの図示を省略したものである。図４、図６および図７中の矢印Ｄ１またはその逆に示す方向が、主走査方向である。なお、矢印Ｄ１は、装置のフロント側からリア側に向かう方向である。図４、図５および図７中の矢印Ｄ２またはその逆に示す方向が、副走査方向である。なお、図５および図６中の矢印Ｄ３で示す方向が、上方向となる。すなわち、図４および図７は、画像読み取り装置１４を上側から見た図である。また、理解の容易の観点から、図４および図７において、プラテンに載置された原稿の画像の読み取りを開始する位置、ＡＤＦによって搬送された原稿の画像を読み取る位置、および画像読み取り装置の初期動作においてキャリッジを位置させる基準となるホームポジションをそれぞれ白抜きの三角印で示している。なお、図７に示す実施形態においては、プラテン３１に載置される矩形状の原稿２８は、副走査方向が長手方向となるように載置されている。この場合、副走査方向の全域においてプラテン３１のフロント側を全て覆っていないように載置されている。すなわち、プラテン３１の副走査方向のいずれの箇所においても、主走査方向の一部が原稿２８によって覆われていない状態である。
【００２３】
図１〜図７を参照して、画像読み取り装置１４は、画像を読み取る原稿２８を載置するプラテン３１を備える。プラテン３１は、所定の板厚を有する部材から構成されている。プラテン３１は、上側から見た場合に、矩形状に構成されている。プラテン３１は、透明な部材で構成されており、プラテン３１の下部領域４０から照射される光を透過して、プラテン３１上に載置された原稿２８に照射させることができる。プラテン３１の大きさは、いわゆるＡ３サイズの原稿を載置しても、その全面を読み取ることができる程度の大きさであり、プラテン３１の副走査方向の長さＬ３の範囲で、プラテン３１上に載置された原稿２８を読み取ることができる。プラテン３１は、画像読み取り装置１４のおおよその枠組みを構成する金属製の筐体３２に嵌め込まれるようにして画像読み取り装置１４に取り付けられている。この実施形態において、プラテン３１は、いわゆるコンタクトガラスで構成されている。プラテン３１は、その他にも、透明な部材であって、ある程度の強度を有する板材料で構成することができる。なお、図示はしないが、プラテン３１には、図７に示す上側から見た場合のプラテン３１の左上の隅３３、具体的には、プラテン３１のリア側であって、後述する遮光部が配置される側の隅３３に原稿２８の角を合わせるようにして原稿２８を載置するような表記がなされている。
【００２４】
画像読み取り装置１４は、プラテン３１の上面を開閉可能であって、プラテン３１の上に載置された原稿２８を押さえる原稿押さえ３４を備える。なお、上記したように、図１は、原稿押さえ３４を開いた状態を示し、図２に示す状態は、原稿押さえ３４を閉じた状態を示している。原稿押さえ３４は、一対のヒンジ３５ａ、３５ｂによって、筐体３２に取り付けられている。原稿押さえ３４のフロント側を上方向に持ち上げることにより、原稿押さえ３４を開けることができる。原稿押さえ３４を閉じた状態においてプラテン３１に対向する原稿押さえ３４の裏面３６は、平らであって、白色の部材で構成されている。なお、原稿押さえ３４は、ＡＤＦ２２の構成の一部も兼ね備えたものである。簡単に説明すると、ＡＤＦ２２は、閉じた状態でプラテン３１と対向する原稿押さえ３４と、複数枚の原稿２８をセットする給紙トレイ３７と、原稿２８を搬送するためのピックアップローラ等の複数の図示しないローラと、画像を読み終えた複数枚の原稿２８を排出する排紙トレイ３８等とを備える。ＡＤＦ２２は、原稿押さえ３４を閉じた状態で、原稿押さえ３４の上側に設けられる給紙トレイ３７に複数枚の原稿２８をセットされる。ＡＤＦ２２は、操作部１３のスタートボタンの押下を検知すると、セットされた複数枚の原稿２８を順次プラテン３１側に搬送する。その後、ＡＤＦ２２は、後述するキャリッジにより複数枚の原稿２８の画像が順次読み取られた後に、排紙トレイ３８に排出する。ＡＤＦ２２は、読み取るべき原稿が複数枚あるときに有効に利用される。
【００２５】
画像読み取り装置１４は、原稿押さえ３４の開閉を検知する原稿押さえ開閉検知手段を含む。この実施形態においては、原稿押さえ開閉検知手段は、筐体３２のうちの原稿２８を載置しない領域であって、プラテン３１のリア側に設けられる突起部材３９を含む。突起部材３９は、丸棒状の部材であって、上下方向に移動可能である。突起部材３９は、プラテン３１の表面側から上方向にある程度の量が突出するように設けられており、図示しないバネ等により上側に付勢されて構成されている。原稿押さえ３４を閉じると、原稿押さえ３４のリア側の一部が突起部材３９の先端に当接し、その後、バネを押し縮める。そうすると、突起部材３９が筐体３２の内部側に押さえ込まれる。この突起部材３９の押さえ込みを図示しないセンサ等により検知すれば、原稿押さえ３４が閉じられている状態であると検知する。一方、この突起部材３９の押さえ込みを検知しなければ、原稿押さえ３４が開けられている状態であると検知する。ここで、制御部１２および突起部材３９は、原稿押さえ開閉検知手段として作動する。
【００２６】
画像読み取り装置１４は、プラテン３１の下部領域４０に配置され、プラテン３１に沿って移動可能であるキャリッジ４１を備える。この場合、キャリッジ４１は、プラテン３１の下部領域４０において、矢印Ｄ２またはその逆で示す副走査方向に移動可能である。具体的には、キャリッジ４１は、プラテン３１、後述する遮光部、および同じく後述するＡＤＦ搬送原稿読み取り部が位置する範囲を副走査方向に移動可能なように構成されている。キャリッジ４１がプラテン３１上に載置された原稿２８の画像を読み取る場合、キャリッジ４１は、読み取りを開始する位置を始点として矢印Ｄ２で示す方向に移動しながら、プラテン３１上に載置された原稿２８の画像を読み取る。また、キャリッジ４１は、原稿２８の画像を読み終えた後、矢印Ｄ２の逆で示す方向に移動し、原稿２８の読み取りを開始する位置に戻る。プラテン３１の下部領域４０には、それぞれ副走査方向に延びる形状であり、プラテン３１の下部領域４０に間隔を開けて平行に設けられる二本の金属棒４２ａ、４２ｂが設けられている。キャリッジ４１は、移動の際には、二本の金属棒４２ａ、４２ｂによってガイドされる。
【００２７】
キャリッジ４１は、プラテン３１の下方領域４０から上側に向かって光を照射する露光ランプ４３と、複数のミラー（図示せず）と、光を集光するレンズ（図示せず）と、イメージセンサとしてのＣＣＤ（Ｃｈａｒｇｅ  Ｃｏｕｐｌｅｄ  Ｄｅｖｉｃｅ）センサ（図示せず）とを含む。露光ランプ４３は、いわゆる複数のＬＥＤ（Ｌｉｇｈｔ  Ｅｍｉｔｔｉｎｇ  Ｄｉｏｄｅ）を主走査方向に配置することにより構成されている。露光ランプ４３は、キャリッジ４１の主走査方向の全域に亘って設けられている。キャリッジ４１は、原稿２８の画像を読み取る際に、副走査方向に移動しながら、露光ランプ４３からプラテン３１側に向かって光を照射する。そして、プラテン３１側、具体的には、プラテン３１の上に載置された原稿２８から反射される反射光を複数のミラーおよびレンズによって集光し、ＣＣＤセンサに入力させることにより、プラテン３１上に載置された原稿２８の画像を読み取る。
【００２８】
プラテン３１に載置された原稿２８については、プラテン３１が設けられた位置において、キャリッジ４１を副走査方向に移動させて、原稿２８の画像を読み取る。プラテン３１に載置された原稿２８の読み取りを開始する副走査方向の具体的な位置は、図４中の位置５２ａで示すプラテン３１の副走査方向のうちの後述する遮光部が位置する側の端部である。
【００２９】
キャリッジ４１の主走査方向の長さＬ１は、プラテン３１の主走査方向の長さＬ２よりも長く構成されている。また、キャリッジ４１の中央が、プラテン３１の中央に位置するように設けられている。すなわち、キャリッジ４１は、プラテン３１の位置する副走査方向において、プラテン３１のフロント側の筐体３２の裏面、およびリア側の筐体３２の裏面に光を照射し、その画像を読み取ることができる。プラテン３１の上に載置された原稿２８を読み取ることができる主走査方向の範囲は、図４および図７中の領域４４ａで示される。一方、キャリッジ４１によって読み取ることができる主走査方向の範囲は、図４および図７中の領域４４ｂで示される。もちろん、プラテン３１のフロント側およびリア側においては、原稿２８は載置されないため、筐体３２の裏面の一部が読み取られるのみである。なお、キャリッジ４１による原稿２８の画像の読み取りの際には、プラテン３１が位置する主走査方向の領域４４ａの範囲のみについて、原稿２８の画像として認識する。
【００３０】
また、キャリッジ４１は、キャリッジ４１の位置において、キャリッジ４１の上側から入射される外乱光の有無を検知する外乱光有無検知部４５を含む。外乱光有無検知部４５は、キャリッジ４１に付設されている。外乱光有無検知部４５は、露光ランプ４３と副走査方向に隣接して露光ランプ４３と平行に設けられている。外乱光有無検知部は、副走査方向において露光ランプ４３の矢印Ｄ２側に設けられている。外乱光有無検知部４５についても、キャリッジ４１の主走査方向の全域に亘って設けられている。外乱光有無検知部４５は、プラテン３１側から筐体３２の内方側、すなわち、キャリッジ４１が位置する下部領域４０側に入射される外乱光、すなわち、デジタル複合機１１の外側から入射される光の有無を検知する。なお、外乱光については、原稿押さえ３４が閉じられている状態では、入射されない。したがって、原稿押さえ３４が閉じられている状態において、外乱光有無検知部４５は、外乱光がないことを常に検知する。外乱光は、原稿押さえ３４が開けられている状態であって、プラテン３１上に載置された原稿がプラテン３１を覆っていない状態の時に入射される。したがって、原稿押さえ３４が開けられている状態であって、プラテン３１上に載置された原稿がプラテン３１を主走査方向に全て覆っていない状態の時に、外乱光有無検知部４５は、外乱光があることを検知する。また、原稿押さえ３４が開けられている状態であっても、プラテン３１上に原稿が主走査方向に完全に覆うように載置されている状態の時には、外乱光は入射されず、外乱光有無検知部４５は、外乱光がないことを検知する。
【００３１】
画像読み取り装置１４は、プラテン３１の副走査方向であって隣り合う位置に設けられ、露光ランプ４３からの光を遮光する遮光部４６を備える。この実施形態においては、遮光部４６とプラテン３１とは隣接している構成である。具体的には、プラテン３１と遮光部４６とは、図４および図７に示す上側から見た場合において、遮光部４６の矢印Ｄ２で示す方向のリア側の隅４７が、プラテン３１の矢印Ｄ２と逆の方向で示すリア側の隅３３と合わせられるようにして、副走査方向にそれぞれ配置されている。遮光部４６は、いわゆる透明ではなく、白色の樹脂製の部材で構成されている。遮光部４６は、主走査方向に延びる細長い板状の部材である。遮光部４６の主走査方向の長さは、プラテン３１の主走査方向の長さと同じである。
【００３２】
遮光部４６のうち、キャリッジ４１が位置する下部領域４０側の面の一部には、画像を読み取る際の白色の補正の基準となる白基準面４８が設けられている。白基準面４８は、図４および図７中の一点鎖線で示される遮光部４６の副走査方向の中央領域に所定の幅をもって設けられている。白基準面４８は、遮光部４６の主走査方向の全域に亘って設けられている。この白基準面４８で、キャリッジ４１のシェーディング補正を行う。すなわち、キャリッジ４１を白基準面４８の下側に移動させて配置した後、露光ランプ４３から白基準面４８に向かって光を照射する。白基準面４８で反射されて入射された反射光の値を、白色を表す値としてＣＣＤセンサの値の補正を行う。このシェーディング補正は、所定のタイミング、例えば、１０００枚程度の画像を読み取った後のタイミングや、電源を始めて投入した時から総計で１００時間を経過したタイミング、現像器を交換してエージングを行っているタイミング等で行われる。このようなシェーディング補正により、読み取る画像の画質を向上させて、画像の読み取りを適切に行うようにしている。
【００３３】
また、画像読み取り装置１４は、遮光部４６と隣り合う位置に設けられるＡＤＦ搬送原稿読み取り部４９を備える。ＡＤＦ搬送原稿読み取り部４９は、副走査方向において、遮光部４６に対して、プラテン３１と反対側の位置に設けられている。ＡＤＦ搬送原稿読み取り部４９は、遮光部４６と隣接して設けられている。ＡＤＦ搬送原稿読み取り部４９は、薄板状であって、ガラス等の透明の部材で構成されている。なお、ＡＤＦ搬送原稿読み取り部４９は、プラテン３１と同じ部材で構成されていてもよい。ＡＤＦ搬送原稿読み取り部４９は、キャリッジ４１の移動可能な範囲に設けられている。すなわち、ＡＤＦ搬送原稿読み取り部４９は、キャリッジ４１によって読み取り可能な位置に設けられている。ＡＤＦ２２は、ＡＤＦ搬送原稿読み取り部４９が設けられた位置に複数枚の原稿２８を順次搬送する。搬送されてきた原稿２８の画像は、ＡＤＦ搬送原稿読み取り部４９が設けられた位置においてキャリッジ４１によって読み取られる。この場合、キャリッジ４１は、副走査方向において、ＡＤＦ搬送原稿読み取り部４９が設けられた位置に留められた状態で、ＡＤＦ２２によって搬送されてきた原稿２８の画像を読み取る。すなわち、ＡＤＦ２２によって搬送される原稿２８の画像については、ＡＤＦ搬送原稿読み取り部４９が設けられた位置においてキャリッジ４１を留め、原稿を搬送することによって、原稿２８の画像を読み取る。なお、ＡＤＦ搬送原稿読み取り部４９が設けられた位置において原稿２８を読み取る際の副走査方向の具体的な位置は、図４中の位置５２ｂで示すＡＤＦ搬送原稿読み取り部４９の副走査方向の中央である。
【００３４】
画像読み取り装置１４は、遮光部４６が設けられた領域と主走査方向に隣り合う領域であって、キャリッジ４１によって読み取り可能な位置に設けられる位置決めマーク５１を備える。位置決めマーク５１は、遮光部４６のフロント側に位置する領域であって、筐体３２の内方側の面の一部に設けられている。具体的には、位置決めマーク５１は、副走査方向においては、遮光部４６が設けられた位置であって遮光部４６の副走査方向の中央、主走査方向においては、プラテン３１が設けられるフロント側の境界５３よりもフロント側に設けられている。すなわち、位置決めマーク５１は、主走査方向においてプラテン３１よりも装置外方側、この場合、矢印Ｄ１と逆の方向で示すフロント側に位置するように設けられている。位置決めマーク５１の形状は、任意の形状であってよく、例えば、黒色の丸印や、星形印等、種々のマークが付けられる。この実施形態においては、位置決めマーク５１は、主走査方向に延びる太線状である。この位置決めマーク５１については、主走査方向において、プラテン３１に載置された原稿２８の画像を読み取る領域４４ａと異なる領域に設けられているため、原稿２８の画像と誤認することはない。なお、理解の容易の観点から、図４においては、筐体３２の内方側の面に設けられている位置決めマーク５１を実線で印しているが、実際にはプラテン３１の上側からは視認できないものである。また、理解の容易の観点から、図６において、位置決めマーク５１は、立体的に記載しているが、位置決めマーク５１は、実際には筐体３２の内方側の面から突出していないものである。
【００３５】
位置決めマーク５１は、キャリッジ４１のホームポジション５２ｃと関連付けられた位置を規定するものである。この実施形態においては、キャリッジ４１の移動方向、すなわち、副走査方向において、位置決めマーク５１が設けられている位置は、キャリッジ４１のホームポジション５２ｃが設けられている位置と同じであるよう構成されている。画像読み取り装置１４は、このホームポジション５２ｃを、キャリッジ４１の初期動作を行う上での基準位置とする。すなわち、プラテン３１上に載置された原稿２８の画像の読み取りの開始や、白基準面４８を用いてのシェーディング補正等、キャリッジ４１が何らかの動作を行うに際し、このホームポジション５２ｃを基準位置としてキャリッジ４１をまずこのホームポジション５２ｃに移動するよう初期動作を行う。このホームポジション５２ｃを画像の読み取りの開始等の動作の起点と規定することにより、画像読み取り装置１４の動作途中における強制終了等によってキャリッジ４１が副走査方向のランダムな位置に停止したとしても、正確に画像の読み取りの開始等を行うことができる。
【００３６】
ここで、画像読み取り装置１４は、キャリッジ４１の位置を確認する動作時では、外乱光有無検知部４５が外乱光があると検知しているときは、露光ランプ４３を消灯してキャリッジ４１を移動させ、外乱光有無検知部４５が外乱光がないと検知しているときは、露光ランプ４３を点灯させてキャリッジ４１を移動させて、キャリッジ４１により位置決めマーク５１の位置を検出するよう制御する制御手段を備える。ここで、制御部１２等は、制御手段として作動する。これについては、後に説明する。
【００３７】
次に、図１等に示すデジタル複合機１１を用いてキャリッジ４１をホームポジション５２ｃに移動させる場合について、説明する。ここでは、画像読み取り装置１４を備えるデジタル複合機１１が、いわゆる省エネモードである待機状態のスリープモードから復帰し、初期動作としてキャリッジ４１をホームポジション５２ｃに移動させる場合について説明する。この場合、キャリッジ４１は、ホームポジション５２ｃに移動される前は、プラテン３１の下部領域４０において、プラテン３１に対して、副走査方向の遮光部４６が設けられていない側の端にあるものとする。また、この場合、キャリッジ４１は、矢印Ｄ２の方向に向かって移動していくものとする。なお、この実施形態においては、原稿押さえ３４が閉じられず、開けられたままの状態を示す。すなわち、上記した原稿押さえ開閉検知手段は、原稿押さえ３４が開いていることを常に検知しているものである。
【００３８】
図８は、デジタル複合機１１がスリープモードから復帰した場合の処理の流れを示すフローチャートである。図９は、上記した図７に示す原稿２８をプラテン３１に載置した状態の画像読み取り装置１４に併せて、外乱光有無検知部４５における検知状態、露光ランプ４３の点灯状態、位置決めマーク５１の検知状態をそれぞれ示すグラフを下側に示した図である。ここで、図９の下側に位置するグラフについて簡単に説明する。線５４ａは、外乱光有無検知部４５における検知状態を示し、線５４ｂは、露光ランプ４３のオンオフの状態を示し、線５４ｃは、位置決めマーク５１の検知状態を示す。線５４ａにおける「ＯＮ」状態の時には、外乱光有無検知部４５において外乱光があることを検知していることを示し、「ＯＦＦ」の状態の時には、外乱光有無検知部４５において外乱光がないことを検知していることを示している。また、線５４ｂにおける「ＯＮ」状態の時には、露光ランプ４３を点灯させている状態を示しており、線５４ｂにおける「ＯＦＦ」状態の時には、露光ランプを消灯させている状態を示している。また、線５４ｃにおける「ＯＮ」状態の時には、位置決めマーク５１を検知した状態を示しており、線５４ｃにおける「ＯＦＦ」状態の時には、位置決めマーク５１を検知していない状態を示す。なお、理解の容易の観点から、図９において、上側の図７に示す図と下側のグラフとをそれぞれ、副走査方向における位置５２ａ、５２ｂ、およびホームポジション５２ｃを示す点線で結んでいる。なお、この実施形態においては、外乱光有無検知部４５と露光ランプ４３とを隣接させる構成とし、副走査方向においてそれぞれを設ける位置が異なることとしたが、外乱光有無検知部４５における外乱光の有無の検知と露光ランプ４３のオンオフがほぼ同時に行われるため、理解の容易の観点から、同じタイミングでオンオフをグラフに示す。
【００３９】
図１〜図９を参照して、デジタル複合機１１に備えられる画像読み取り装置１４において、原稿押さえ３４が開けられたことを検知する。そうすると、デジタル複合機１１は、スリープモードを解除し（図８において、ステップＳ１１、以下、「ステップ」を省略する）、スリープモードからの復帰動作に入る。そうすると、画像読み取り装置１４は、初期動作としてキャリッジ４１をホームポジション５２ｃに移動させるよう動作する。この場合、副走査方向においてホームポジション５２ｃと同じ位置に設けられている位置決めマーク５１の位置を検出し、位置決めマーク５１を検出した位置にキャリッジ４１を移動させようとする。具体的には、スリープモードから復帰した際に、キャリッジ４１のあった位置からキャリッジ４１の移動を開始する（Ｓ１２）。そして、キャリッジ４１を図７中の矢印Ｄ２で示す方向に移動させ始める。
【００４０】
ここで、キャリッジ４１を移動させるに際し、外乱光有無検知部４５により、外乱光の有無を検知する。この場合、原稿押さえ３４が開かれた状態であり、原稿２８でプラテン３１が主走査方向において完全に覆われていないため、外乱光については、移動するキャリッジ４１がプラテン３１の下部領域４０に位置している間は、常に外乱光が入射することとなる。そうすると、キャリッジ４１に設けられた外乱光有無検知部４５は、外乱光が入射していると検知する（Ｓ１３において、ＮＯ）。この場合、外乱光有無検知部４５においては外乱光があると検知するため、線５４ａで示す外乱光有無検知部４５の検知状態は、「ＯＮ」の状態となる。そして、外乱光があると検知されているため、線５４ｂで示す露光ランプ４３のオンオフ状態は「ＯＦＦ」の状態、すなわち、露光ランプ４３を消灯した状態となる。このような状態で、キャリッジ４１は、矢印Ｄ２で示す方向への移動を続ける（Ｓ１７）。
【００４１】
その後、キャリッジ４１が遮光部４６の下部領域４０に到達すると、外乱光が入射されなくなる。そうすると、外乱光有無検知部４５においては外乱光がないと検知するため、線５４ａで示す外乱光有無検知部４５の検知状態は、「ＯＦＦ」の状態となる（Ｓ１３において、ＹＥＳ）。そして、外乱光がないと検知されているため、線５４ｂで示す露光ランプ４３のオンオフ状態は、「ＯＮ」の状態、すなわち、露光ランプ４３を点灯させる状態となる。このような状態で、キャリッジ４１は、矢印Ｄ２で示す方向への移動を続ける（Ｓ１４）。その後、キャリッジ４１は、位置決めマーク５１が設けられた位置に到達する。この時、キャリッジ４１は、位置決めマーク５１を検知する（Ｓ１５において、ＹＥＳ）。ここで、線５４ｃで示す位置決めマークの検知状態は、「ＯＮ」の状態となる。このようにして、キャリッジ４１により、位置決めマーク５１の位置を検知する。
【００４２】
位置決めマーク５１を検出した後、ホームポジション５２ｃとしてキャリッジ４１をセットする（Ｓ１６）。その後、必要に応じて、シェーディング補正を行ったり、シェーディング補正を行うことなく、原稿２８の画像の読み取りを開始したりする。
【００４３】
次に、原稿２８をプラテン３１に載置する際に、副走査方向の一部において主走査方向が長手方向となるように矩形状の原稿２８が載置され、副走査方向の一部において原稿２８によってプラテン３１の主走査方向の全面を覆っている場合について説明する。
【００４４】
図１０は、この場合の原稿２８をプラテン３１に載置した状態の画像読み取り装置１４に併せて、外乱光有無検知部における検知状態、露光ランプの点灯状態、位置決めマークの検知状態を示すグラフを下側に示した図である。併せて図１０を参照して、上記と同様の位置からキャリッジ４１は、矢印Ｄ２で示す方向へ移動する（図８において、Ｓ１２）。この場合、まず外乱光有無検知部４５においては外乱光があると検知するため（Ｓ１３において、ＮＯ）、線５５ａで示す外乱光有無検知部４５の検知状態は、「ＯＮ」の状態となる。そして、外乱光があると検知されているため、線５５ｂで示す露光ランプ４３のオンオフ状態は「ＯＦＦ」の状態、すなわち、露光ランプ４３を消灯した状態となる。このような状態で、キャリッジ４１は、矢印Ｄ２で示す方向への移動を続ける（Ｓ１７）。
【００４５】
その後、キャリッジ４１が原稿２８の副走査方向に位置する一方側の端部２９ａに到達する。そうすると、外乱光有無検知部４５において外乱光がないと検知するため（Ｓ１３において、ＹＥＳ）、線５５ａで示す外乱光有無検知部４５の検知状態は、「ＯＦＦ」の状態となる。そして、外乱光がないと検知されているため、線５５ｂで示す露光ランプ４３のオンオフ状態は、「ＯＮ」の状態、すなわち、露光ランプ４３を点灯させる状態となる。このような状態で、キャリッジ４１は、矢印Ｄ２で示す方向への移動を続ける（Ｓ１４）。この場合、露光ランプ４３からの光を照射し、位置決めマーク５１を探そうとする。しかし、位置決めマーク５１は、原稿２８が載置された副走査方向の位置にないため、線５５ｃで示す位置決めマークの検知状態は、「ＯＦＦ」の状態となる（Ｓ１５において、ＮＯ）。
【００４６】
そして、さらにキャリッジ４１を矢印Ｄ２で示す方向に移動させ、キャリッジ４１が原稿２８の副走査方向に位置する他方側の端部２９ｂに到達すると、外乱光有無検知部４５において再び外乱光があると検知する（Ｓ１３において、ＮＯ）。そうすると、線５５ａで示す外乱光有無検知部４５の検知状態は、再び「ＯＮ」の状態となる。そして、外乱光があると検知されているため、線５５ｂで示す露光ランプ４３のオンオフ状態は、「ＯＦＦ」の状態、すなわち、露光ランプ４３を消灯する状態となる。このような状態で、さらにキャリッジ４１を矢印Ｄ２の方向に移動させる（Ｓ１７）。
【００４７】
そうすると、キャリッジ４１は遮光部４６に到達する。キャリッジ４１が遮光部４６に到達すると、外乱光有無検知部４５においては外乱光がないと検知するため（Ｓ１３において、ＹＥＳ）、線５５ａで示す外乱光有無検知部４５の検知状態は、再び「ＯＦＦ」の状態となる。そして、外乱光がないと検知されているため、線５５ｂで示す露光ランプ４３のオンオフ状態は、再び「ＯＮ」の状態、すなわち、露光ランプ４３を点灯させる状態となる。このような状態で、キャリッジ４１を矢印Ｄ２で示す方向に移動させる（Ｓ１４）。その後、キャリッジ４１は、位置決めマーク５１を検知する（Ｓ１５において、ＹＥＳ）。ここで、線５５ｃで示す位置決めマークの検知状態は、「ＯＮ」の状態となる。このようにして、キャリッジ４１により、位置決めマーク５１の位置を検知し、キャリッジ４１をホームポジション５２ｃにセットする（Ｓ１６）。
【００４８】
すなわち、このような構成のデジタル複合機１１に備えられる画像読み取り装置１４によると、外乱光有無検知部４５が外乱光があると検知しているときは、露光ランプ４３を消灯してキャリッジ４１を移動させる。この場合、露光ランプ４３を消灯しているため、ユーザーが露光ランプ４３からの光を眩しく感じることはない。一方、外乱光有無検知部４５が外乱光がないと検知しているときは、露光ランプ４３を点灯させてキャリッジ４１を移動させる。この場合、遮光部４６によって露光ランプ４３の光が遮光されるため、ユーザーが露光ランプ４３からの光を眩しく感じることはない。そして、キャリッジ４１により露光ランプ４３からの光を照射して、遮光部４６が設けられた領域と主走査方向に隣り合う領域であって、キャリッジ４１によって読み取り可能な位置に設けられた位置決めマーク５１を検知することができる。位置決めマーク５１は、キャリッジ４１のホームポジション５２ｃと関連付けられた位置として規定されているため、キャリッジ４１をホームポジション５２ｃに適切に移動させることができる。この場合、露光ランプ４３を含むキャリッジ４１を利用して位置決めマーク５１の位置を検知しているため、新たに発光部やＰＩセンサを設ける必要はない。したがって、このような画像読み取り装置１４によると、コストダウンを図りつつ、キャリッジ４１を適切にホームポジションに配置することができる。また、このようなデジタル複合機１１は、適切に画像を処理することができる。
【００４９】
また、この場合、位置決めマーク５１は、遮光部４６が設けられた領域と主走査方向に隣り合う領域に設けられているため、原稿２８の画像を読み取ることのない領域に位置決めマーク５１を設けて、位置決めマーク５１の検出をより確実に行うことができる。
【００５０】
また、外乱光有無検知部４５は、キャリッジ４１に付設されている構成であるため、外乱光の有無をより的確に検知することができる。
【００５１】
また、この場合、キャリッジ４１の移動方向、すなわち、副走査方向において、位置決めマーク５１が設けられている位置は、キャリッジ４１のホームポジション５２ｃが設けられている位置と同じであるため、より確実にキャリッジ４１をホームポジション５２ｃに移動させることができる。
【００５２】
なお、この場合、画像読み取り装置１４は、プラテン３１の上面を開閉可能であって、プラテン３１の上に載置された原稿２８を押さえる原稿押さえ３４と、原稿押さえ３４の開閉を検知する原稿押さえ開閉検知手段とを含み、原稿押さえ開閉検知手段が原稿押さえ３４が開いていることを検知しているときに、外乱光有無検知部４５が外乱光を検知する構成であるため、原稿押さえ３４の開閉を検知する原稿押さえ開閉検知手段の開閉検知結果も併せて、より確実に外乱光の有無の検知を行うことができる。また、原稿押さえ開閉検知手段により原稿押さえ３４が閉じられていることを検知すれば、外乱光の入射はないため、原稿押さえ３４が閉じられていることを検知すれば露光ランプ４３を点灯させることにしてもよい。
【００５３】
なお、上記の実施の形態においては、キャリッジは、初期動作の開始時には、プラテン３１に対して、副走査方向の遮光部４６が設けられていない側の端にあるものとしたが、これに限らず、例えば、キャリッジがＡＤＦ搬送原稿読み取り部や、遮光部に位置するところから初期動作を開始し、位置決めマークを検知する場合にも適用されるものである。この場合、ＡＤＦ搬送原稿読み取り部および遮光部の下部領域をキャリッジが移動する際の外乱光有無検知部４５における検知状態、露光ランプ４３の点灯状態、位置決めマーク５１の検知状態については、図９および図１０の下側に示すグラフのような出力となる。
【００５４】
なお、上記の実施の形態においては、位置決めマークは、画像読み取り装置のフロント側に設けることとしたが、これに限らず、画像読み取り装置のリア側に設けることにしてもよい。
【００５５】
また、位置決めマークについては、遮光部が設けられた領域であって、キャリッジによって読み取り可能な位置に設けられるよう構成してもよい。図１１は、この場合の画像読み取り装置の一部を示す図であり、この発明の他の実施形態に係る画像読み取り装置の一部を上方向から見た概略図である。図１１は、図４に相当する。なお、図１１に示す画像読み取り装置５６について、図４に示す画像読み取り装置１４と同じ構成の部材については、同一の符号を付して、それらの説明を省略する。
【００５６】
図１１を参照して、画像読み取り装置５６は、キャリッジ４１のホームポジション５８ｃと関連付けられた位置、この場合、副走査方向においてキャリッジ４１のホームポジション５８ｃと同じである位置に位置決めマーク５７が設けられている。なお、プラテン３１に載置された原稿２８の読み取りを開始する副走査方向の具体的な位置５８ａ、およびＡＤＦ搬送原稿読み取り部４９が設けられた位置において実際に原稿を読み取る位置５８ｂについては、図１１に示す通りである。位置決めマーク５７については、遮光部４６が設けられた領域に設けられている。この場合、遮光部４６のうち、白基準面４８が設けられた位置よりも矢印Ｄ２と逆の方向の位置であって、やや中央よりもフロント側に設けられている。このように構成してもよい。こうすることによっても、ユーザーに眩しさを感じさせることなく露光ランプ４３を点灯させて位置決めマーク５７を検知することができる。
【００５７】
なお、上記の実施の形態においては、副走査方向において位置決めマークが設けられている位置とキャリッジのホームポジションが設けられている位置が同じであるよう構成することとしたが、これに限らず、位置決めマークがキャリッジのホームポジションと関連付けられた位置を規定している構成であればよい。すなわち、例えば、位置決めマークから矢印Ｄ１で示す方向に１０ｍｍ離れた位置にホームポジションの位置を規定することにしてもよいし、位置決めマークから５秒程度移動させた位置をホームポジションの位置と規定することにしてもよい。
【００５８】
また、上記の実施の形態においては、ＡＤＦ搬送原稿読み取り部、遮光部、プラテンを副走査方向に順に並設することとしたが、これに限らず、それぞれの部材を設ける副走査方向の順序を入れ替えるようにしてもよい。また、それぞれの部材が隣接して設けられることとしたが、これに限らず、それぞれの部材が隣り合っていれば、部材同士の間隔を開けて設けるようにしてもよい。さらに、遮光部については、筐体と一体に成形されていてもよく、同じ部材で構成されていてもよい。
【００５９】
なお、上記の実施の形態においては、原稿押さえの開閉を検知する際に、突起部材を用いることとしたが、これに限らず、例えば、原稿押さえを筐体に取り付けるヒンジの角度を検知し、この検知した角度から原稿押さえの開閉を検知することにしてもよい。また、画像読み取り装置は、ＡＤＦを備えない構成であってもよい。
【００６０】
また、上記の実施の形態において、共にキャリッジに付設される露光ランプおよび外乱光有無検知部は、隣接して設けられることとしたが、これに限らず、露光ランプと外乱光有無検知部とは、副走査方向に間隔を開けて設けられるようにしてもよい。また、露光ランプと外乱光有無検知部の副走査方向の位置を逆にして設けられていてもよい。また、外乱光有無検知部は、イメージセンサーで外乱光を検知するよう構成してもよい。
【００６１】
なお、上記の実施の形態においては、プラテンにセットされる原稿について、リア側を基準として原稿の位置を合わせて載置する構成としたが、これに限らず、副走査方向の中央を基準として原稿の位置を合わせて載置する構成としてもよい。
【００６２】
また、上記の実施の形態においては、画像読み取り装置の制御は、デジタル複合機に備えられる制御部で行うこととしたが、これに限らず、画像読み取り装置は独自に制御部を有し、この画像読み取り装置自体に設けられた制御部により画像読み取り装置の制御を行うよう構成してもよい。
【００６３】
なお、上記の実施の形態においては、キャリッジの移動する方向を副走査方向とすることとしたが、これに限らず、キャリッジの移動する方向は主走査方向であってもよい。この場合、キャリッジは、副走査方向に長い構成としてもよい。また、キャリッジが移動する方向は、副走査方向に向かって斜めの方向であってもよい。
【００６４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６５】
この発明に係る画像読み取り装置、および画像処理装置は、コストダウンが要求される場合に、特に有効に利用される。
【符号の説明】
【００６６】
１１  デジタル複合機、１２  制御部、１３  操作部、１４，５６  画像読み取り装置、１５  画像形成部、１６  ハードディスク、１７  ファクシミリ通信部、１８  ネットワークインターフェース部、２１  表示画面、２２  ＡＤＦ、２３  現像器、２４  公衆回線、２５  ネットワーク、２６ａ，２６ｂ，２６ｃ  コンピューター、２７  画像処理システム、２８  原稿、２９ａ，２９ｂ  端部、３１  プラテン、３２  筐体、３３，４７  隅、３４  原稿押さえ、３５ａ，３５ｂ  ヒンジ、３６  裏面、３７  給紙トレイ、３８  排紙トレイ、３９  突起部材、４０  下部領域、４１  キャリッジ、４２ａ，４２ｂ  金属棒、４３  露光ランプ、４４ａ，４４ｂ  領域、４５  外乱光有無検知部、４６  遮光部、４８  白基準面、４９  ＡＤＦ搬送原稿読み取り部、５１，５７  位置決めマーク、５２ａ，５２ｂ，５８ａ，５８ｂ  位置、５２ｃ，５８ｃ  ホームポジション、５３  境界、５４ａ，５４ｂ，５４ｃ，５５ａ，５５ｂ，５５ｃ  線。
【図１】
2015192151.tif 000003
【図２】
2015192151.tif 000004
【図３】
2015192151.tif 000005
【図４】
2015192151.tif 000006
【図５】
2015192151.tif 000007
【図６】
2015192151.tif 000008
【図７】
2015192151.tif 000009
【図８】
2015192151.tif 000010
【図９】
2015192151.tif 000011
【図１０】
2015192151.tif 000012
【図１１】
2015192151.tif 000013